(57)【要約】【課題】設置スペースに余裕がなく、手差しトレイを使用できない場合であっても、複数種類の用紙を使用できるとともに、用紙の交換および補充に要する手数を抑制できる給紙装置を提供する。【解決手段】用紙Ｐを収容するとともに画像形成装置本体２０１に用紙Ｐを供給する給紙トレイ１０Ａを備えた給紙装置１００であって、給紙トレイ１０Ａは、それぞれ用紙Ｐを保持可能である、複数の用紙保持部３０と、複数の用紙保持部３０を支持するとともに、回転可能である支持部５０と、を有し、各用紙保持部３０は、支持部５０が回転することにより、画像形成装置本体２０１に対して用紙Ｐを供給可能な供給位置ＰＢ１と、画像形成装置本体２０１に対して用紙Ｐを供給しない待機位置ＰＢ２と、に切り換えられるように配置されている。【選択図】図４
2020015568.tif 000002
【特許請求の範囲】
【請求項１】
用紙を収容するとともに画像形成装置本体に用紙を供給する給紙トレイを備えた給紙装置であって、
前記給紙トレイは、
それぞれ用紙を保持可能である、複数の用紙保持部と、
前記複数の用紙保持部を支持するとともに、回転可能である支持部と、
を有し、
前記各用紙保持部は、前記支持部が回転することにより、前記画像形成装置本体に対して用紙を供給可能な供給位置と、前記画像形成装置本体に対して用紙を供給しない待機位置と、に切り換えられるように配置されている、
給紙装置。
【請求項２】
前記支持部は、
前記複数の用紙保持部のうち、選択された特定の前記用紙保持部を前記供給位置に切り替える、
請求項１に記載の給紙装置。
【請求項３】
前記複数の用紙保持部は、相互に異なる種類の用紙を保持可能であり、
前記支持部は、
特定の種類の用紙を保持している前記用紙保持部を前記供給位置に切り替え、前記特定の種類の用紙を保持していない前記用紙保持部を前記待機位置に切り替える、
請求項２に記載の給紙装置。
【請求項４】
前記複数の用紙保持部は、相互に同じ種類の用紙を保持可能であり、
前記支持部は、
選択された特定の種類の用紙を保持していた前記用紙保持部が、用紙を保持しない状態になった場合、選択された特定の種類の用紙を保持している他の前記用紙保持部を前記供給位置に切り替える、
請求項２または請求項３に記載の給紙装置。
【請求項５】
前記供給位置において、前記用紙保持部に保持された用紙を前記画像形成装置本体に供給する給紙ローラをさらに備え、
前記給紙ローラは、用紙を給紙する方向と直交する方向に間隔をおいて複数配置されており、
前記複数の用紙保持部は、前記供給位置において、前記給紙ローラが用紙に均等に接触するように配置されている、
請求項１から請求項４のいずれか１項に記載の給紙装置。
【請求項６】
用紙を給紙する方向に平行かつ前記支持部の回転軸中心を通る仮想の直線を支持部中心線とし、
前記供給位置において、用紙を給紙する方向に平行な用紙の中心線を用紙中心線として、
前記複数の用紙保持部は、前記供給位置において、前記用紙中心線と前記支持部中心線とが重なるように配置されている、
請求項１から請求項５のいずれか１項に記載の給紙装置。
【請求項７】
用紙を給紙する方向に平行かつ前記支持部の回転軸中心を通る仮想の直線を支持部中心線とし、
前記供給位置において、用紙を給紙する方向に平行な用紙の中心線を用紙中心線として、
前記複数の用紙保持部は、前記供給位置において、前記用紙中心線が前記支持部中心線に対して変位した位置となるように配置されている、
請求項１から請求項５のいずれか１項に記載の給紙装置。
【請求項８】
前記各用紙保持部は、はがきサイズ以下の用紙を収容可能である、
請求項１から請求項７のいずれか１項に記載の給紙装置。
【請求項９】
請求項１から８のいずれか１項に記載された給紙装置を備えることを特徴とする画像形成装置。
【発明の詳細な説明】
【技術分野】
【０００１】
本発明は、給紙トレイを備えた給紙装置、および給紙装置を備えた画像形成装置に関する。
【背景技術】
【０００２】
従来、画像形成装置に設けられる給紙装置として、給紙トレイおよび手差しトレイを備えた給紙装置が知られている。給紙トレイは、画像形成装置本体に装着された状態において画像形成装置本体への給紙が可能であり、画像形成装置本体から引き出された状態にして用紙の補充や交換が可能である（例えば、特許文献１参照）。
【０００３】
手差しトレイは、画像形成装置本体の側方に広げた状態で使用され、給紙トレイに常時収容されていない用紙、例えば、はがき等の用紙にプリントする場合に利用される。
【先行技術文献】
【特許文献】
【０００４】
【特許文献１】特開２００２−２１１８２３号公報
【発明の概要】
【発明が解決しようとする課題】
【０００５】
ところで、例えばコンビニエンスストアにおけるプリントサービスでは、官製はがき、私製はがき、年賀はがき等へのプリントに対して大きな需要がある。しかしながら、手差しトレイは、画像形成装置本体の側方に広げられて使用されるため、コンビニエンスストアのように、スペースに余裕がない設置場所では、手差しトレイを使用できない場合がある。このため、年賀はがき等のプリントに対して大きな需要があるにも関わらず、手差しトレイを用いたプリントサービスを行うことができない場合があった。
【０００６】
また、手差しトレイを使用できる場合であっても、官製はがき、私製はがき、年賀はがき等複数の種類があるため、手差しトレイにセットする用紙の交換に手数を要していた。さらに、はがきの表裏、上下を間違えてセットし、プリントミスを起こす可能性があった。
【０００７】
はがきの自動切り替えを行うため、手差しトレイを使用せずに、官製はがき、私製はがき、年賀はがき等複数種類のはがきを別々の給紙トレイに収容することも可能である。しかしながら、複数の給紙トレイを使用するとコピーサービスのための普通紙を入れる給紙トレイが不足する。また、用紙の種類の増加に対応させるため、給紙トレイの段数を増加させると、画像形成装置の操作パネルの位置が高くなり、背の低い利用者にとって使い難くなる可能性がある。
【０００８】
さらに年賀はがき等は、一定期間に大量の利用が見込めるが、一つの給紙トレイでは給紙量が少なく、用紙の補充に手数を要していた。
【０００９】
本発明の目的は、設置スペースに余裕がなく、手差しトレイを使用できない場合であっても、複数種類の用紙を使用できるとともに、用紙の交換および補充に要する手数を抑制することができる給紙装置、および画像形成装置を提供することにある。
【課題を解決するための手段】
【００１０】
本発明の給紙装置は、
用紙を収容するとともに画像形成装置本体に用紙を供給する給紙トレイを備えた給紙装置であって、
前記給紙トレイは、
それぞれ用紙を保持可能である、複数の用紙保持部と、
前記複数の用紙保持部を支持するとともに、回転可能である支持部と、
を有し、
前記各用紙保持部は、前記支持部が回転することにより、前記画像形成装置本体に対して用紙を供給可能な供給位置と、前記画像形成装置本体に対して用紙を供給しない待機位置と、に切り換えられるように配置されていることを特徴とする（第１の構成）。
【００１１】
上記構成によれば、各用紙保持部は、支持部が回転することにより、画像形成装置本体に対して用紙を供給可能な供給位置と、画像形成装置本体に対して用紙を供給しない待機位置と、に切り換えられるように配置されている。複数の用紙保持部が設けられていることにより、給紙トレイ内に異なる種類の用紙を収容することができるため、手差しトレイを使用できない場合でも異なる種類の用紙に切り替えて使用することができる。また、手差しトレイを用いる必要がないため、用紙の切り換えを容易に行うことができるとともに、手差しトレイに用紙をセットする際のミスを抑制することができる。また、給紙トレイ内に同じ種類の用紙を収容することができるため、給紙量を多くすることができ、用紙の補充に要する手数を抑制することができる。このため、設置スペースに余裕がなく、手差しトレイを使用できない場合であっても、複数種類の用紙を使用できるとともに、用紙の交換および補充に要する手数を抑制することができる。
【００１２】
上記第１の構成において、
前記支持部は、
前記複数の用紙保持部のうち、選択された特定の前記用紙保持部を前記供給位置に切り替えるようにしてもよい（第２の構成）。
【００１３】
上記構成によれば、支持部は、複数の用紙保持部のうち、選択された特定の用紙保持部を供給位置に切り替える。このため、特定の用紙保持部に保持された用紙を選択することができる。
【００１４】
上記第２の構成において、
前記複数の用紙保持部は、相互に異なる種類の用紙を保持可能であり、
前記支持部は、
特定の種類の用紙を保持している前記用紙保持部を前記供給位置に切り替え、前記特定の種類の用紙を保持していない前記用紙保持部を前記待機位置に切り替えるようにしてもよい（第３の構成）。
【００１５】
上記構成によれば、支持部により、特定の種類の用紙を保持している用紙保持部を供給位置に切り替え、特定の種類の用紙を保持していない用紙保持部を待機位置に切り替えることができる。このため、給紙トレイ内に異なる種類の用紙を収容しておき、所望の種類の用紙に切り替えて使用することができる。
【００１６】
上記第２または第３の構成において、
前記複数の用紙保持部は、相互に同じ種類の用紙を保持可能であり、
前記支持部は、
選択された特定の種類の用紙を保持していた前記用紙保持部が、用紙を保持しない状態になった場合、選択された特定の種類の用紙を保持している他の前記用紙保持部を前記供給位置に切り替えるようにしてもよい（第４の構成）。
【００１７】
上記構成によれば、支持部は、選択された特定の種類の用紙を保持していた用紙保持部が、用紙を保持しない状態になった場合、選択された特定の種類の用紙を保持している他の用紙保持部を供給位置に切り替える。このため、給紙トレイ内の複数の用紙保持部に同じ種類の用紙を収容して給紙量を多くすることができ、用紙の補充に要する手数を抑制することができる。
【００１８】
上記第１から第４のいずれかの構成において、
前記供給位置において、前記用紙保持部に保持された用紙を前記画像形成装置本体に供給する給紙ローラをさらに備え、
前記給紙ローラは、用紙を給紙する方向と直交する方向に間隔をおいて複数配置されており、
前記複数の用紙保持部は、前記供給位置において、前記給紙ローラが用紙に均等に接触するように配置されるようにしてもよい（第５の構成）。
【００１９】
上記構成によれば、複数の用紙保持部は、供給位置において、給紙ローラが用紙に均等に接触するように配置されている。このため、用紙の斜め送りを抑制することができる。
【００２０】
上記第１から第５のいずれかの構成において、
用紙を給紙する方向に平行かつ前記支持部の回転軸中心を通る仮想の直線を支持部中心線とし、
前記供給位置において、用紙を給紙する方向に平行な用紙の中心線を用紙中心線として、
前記複数の用紙保持部は、前記供給位置において、前記用紙中心線と前記支持部中心線とが重なるように配置されてもよい（第６の構成）。
【００２１】
上記構成によれば、複数の用紙保持部は、供給位置において、用紙中心線と支持部中心線とが重なるように配置されている。このため、給紙トレイ内に複数の用紙保持部を設置できるとともに、支持部の回転によって各用紙保持部を供給位置と待機位置に切り換えることができる。
【００２２】
上記第１から第５のいずれかの構成において、
用紙を給紙する方向に平行かつ前記支持部の回転軸中心を通る仮想の直線を支持部中心線とし、
前記供給位置において、用紙を給紙する方向に平行な用紙の中心線を用紙中心線として、
前記複数の用紙保持部は、前記供給位置において、前記用紙中心線が前記支持部中心線に対して変位した位置となるように配置されてもよい（第７の構成）。
【００２３】
上記構成によれば、複数の用紙保持部は、供給位置において、用紙中心線が支持部中心線に対して変位した位置となるように配置されている。このため、給紙トレイ内に複数の用紙保持部を設置できるとともに、支持部の回転によって各用紙保持部を供給位置と待機位置に切り換えることができる。
【００２４】
上記第１から第７のいずれかの構成において、
前記各用紙保持部は、はがきサイズ以下の用紙を収容可能としてもよい（第８の構成）。
【００２５】
上記構成によれば、各用紙保持部は、はがきサイズ以下の用紙を収容可能である。このため、通常の大きさの給紙トレイに、複数の用紙保持部を支持させた支持部を設置することができる。
【００２６】
本発明の画像形成装置は、上記第１から第８のいずれかの構成の給紙装置を備える（第９の構成）。
【００２７】
上記構成によれば、各用紙保持部は、支持部が回転されることにより、画像形成装置本体に対して用紙を供給可能な供給位置と、画像形成装置本体に対して用紙を供給しない待機位置と、に切り換えられるように配置されている。複数の用紙保持部が設けられていることにより、給紙トレイ内に異なる種類の用紙を収容することができるため、手差しトレイを使用できない場合でも異なる種類の用紙に切り替えて使用することができる。また、手差しトレイを用いる必要がないため、用紙の切り換えを容易に行うことができるとともに、手差しトレイに用紙をセットする際のミスを抑制することができる。また、給紙トレイ内に同じ種類の用紙を収容することができるため、給紙量を多くすることができ、用紙の補充に要する手数を抑制することができる。このため、設置スペースに余裕がなく、手差しトレイを使用できない場合であっても、複数種類の用紙を使用できるとともに、用紙の交換および補充に要する手数を抑制することができる。
【発明の効果】
【００２８】
本発明の給紙装置および画像形成装置によれば、設置スペースに余裕がなく、手差しトレイを使用できない場合であっても、複数種類の用紙を使用できるとともに、用紙の交換および補充に要する手数を抑制することができる。
【図面の簡単な説明】
【００２９】
【図１】実施形態１に係る給紙装置を適用した画像形成装置の全体構成を示す斜視図である。
【図２】画像形成装置の制御系の構成を示すブロック図である。
【図３】画像形成装置における操作パネルを示す平面図である。
【図４】装着状態における給紙トレイの平面図である。
【図５】図４のＡ―Ａ線における断面図である。
【図６】実施形態２に係る給紙装置の装着状態における給紙トレイの平面図である。
【図７】実施形態３に係る給紙装置の装着状態における給紙トレイの断面図である。
【発明を実施するための形態】
【００３０】
〔実施形態１〕
以下、本発明の実施の形態を図面に基づいて説明する。図１は、実施形態１に係る給紙装置１００Ａを適用した画像形成装置２００の全体構成を示す斜視図である。画像形成装置２００は、画像形成装置本体２０１、原稿台２０２、スキャナ部２０３、画像形成部２０４、排紙トレイ２０５、給紙トレイ装着部２０６、操作パネル２０７、および給紙装置１００Ａを備えている。
【００３１】
画像形成装置本体２０１は、画像形成装置２００の本体部分である。原稿台２０２は、画像形成装置本体２０１の上面に設置されたガラス体である。スキャナ部２０３は、原稿台２０２の下方に設けられており、原稿台２０２上に置かれた原稿の画像を読み取る。画像形成部２０４は、スキャナ部２０３の下方に設けられている。スキャナ部２０３で読み取られた画像データは画像形成部２０４に入力され、画像データに基づく画像が電子写真画像形成法によって用紙の表面に形成される。排紙トレイ２０５には、画像形成装置本体２０１の上部中央（スキャナ部２０３の下方位置）に設置されており、画像が形成された用紙が排出される。操作パネル２０７は、使用者からの入力を受け付けるとともに、各種メニューや画像形成装置２００の動作状態を表示する。
【００３２】
本実施形態の給紙装置１００Ａは排紙トレイ２０５の下方に設けられている。給紙装置１００Ａには上下４段の給紙トレイ装着部２０６が設けられている。各給紙トレイ装着部２０６に、給紙トレイ１０が装着されており、最上段の給紙トレイ装着部２０６には、本発明の給紙装置１００Ａを構成する給紙トレイ１０Ａが装着されている。
【００３３】
給紙トレイ１０（１０Ａ）は、それぞれ装着状態ＰＡ１と引出状態ＰＡ２とを切り換え可能である。装着状態ＰＡ１は、給紙トレイ１０（１０Ａ）が給紙トレイ装着部２０６に対して装着された状態である。引出状態ＰＡ２は、給紙トレイ１０（１０Ａ）が給紙トレイ装着部２０６から引き出された状態である。図１に示した給紙トレイ１０Ａは、引出状態ＰＡ２であり、給紙トレイ装着部２０６に対して図示手前側から奥側に向けて押し込むことによって装着状態ＰＡ１に切り換えることができる。給紙トレイ１０（１０Ａ）を装着状態ＰＡ１から引出状態ＰＡ２に移動させる方向を引出方向Ｄ１とし、給紙トレイ１０（１０Ａ）を引出状態ＰＡ２から装着状態ＰＡ１に移動させる方向を装着方向Ｄ２とする。
【００３４】
次に、画像形成装置２００の制御系の構成を説明する。図２は、画像形成装置２００の制御系の構成を示すブロック図である。図２において、制御部２２１は、スキャナ部２０３、画像形成部２０４、給紙装置１００Ａ、および操作パネル２０７等との間で制御データ等を送受して、これらを制御しており、また操作パネル２０７の操作に応答してプリント機能、スキャナ機能、および複写機能等を選択的に動作させる。
【００３５】
例えば、制御部２２１は、操作パネル２０７の操作によりスキャナ機能が指示されると、スキャナ部２０３により原稿の画像を読み取らせて、スキャナ部２０３から原稿の画像を示す画像データを出力させ、画像処理部２２４により画像データを処理させて、画像データを画像メモリ２２２に記憶する。また、制御部２２１は、外部端末装置（図示せず）からの画像データが入出力部２０８で受信入力されると、画像処理部２２４により画像データを処理させて、画像データを画像メモリ２２２に記憶する。そして、制御部２２１は、操作パネル２０７の操作によりプリント機能が選択指示されると、画像データを画像メモリ２２２から読出して、画像データによって示される画像を画像形成部２０４で記録用紙に印刷させる。
【００３６】
図３は、操作パネル２０７を示す平面図である。図３に示すように操作パネル２０７は、表示部２３１および入力操作部２３２を備えている。入力操作部２３２は、スタートキー２３４、およびテンキー２３５等や、表示部２３１の画面に重ねられたタッチパネル（図示せず）等を有している。例えば、タッチパネルは、表示部２３１の初期設定画面上の各機能欄２３６ａ〜２３６ｃのいずれかがタッチ操作されると、タッチ操作された機能欄を検出する。入力操作部２３２は、タッチパネルにより検出された機能欄を制御部２２１に通知する。
【００３７】
次に、給紙装置１００Ａを構成する給紙トレイ１０Ａについて詳細に説明する。図４は、装着状態ＰＡ１における給紙トレイ１０Ａの平面図である。図５は、図４のＡ―Ａ線における断面図である。
【００３８】
給紙トレイ１０Ａは、用紙Ｐを収容するとともに画像形成装置本体２０１に用紙Ｐを供給する。図４に示すように、給紙トレイ１０Ａは、給紙トレイ本体１１、複数の用紙保持部３０(３１、３２、３３)、および支持部５０を備えている。
【００３９】
給紙トレイ本体１１は、給紙トレイ１０Ａの基体をなす部分である。給紙トレイ本体１１の内側に、複数の用紙保持部３０(３１、３２、３３)、および支持部５０が配置されている。
【００４０】
用紙保持部３０（３１、３２、３３）は、それぞれ用紙Ｐを保持する部分である。本実施形態では、給紙トレイ１０Ａには、３台の用紙保持部３０（３１、３２、３３）が設けられている。
【００４１】
本実施形態の用紙保持部３０（３１、３２、３３）は、それぞれはがきサイズ以下の用紙Ｐを保持できるように構成されている。用紙保持部３０（３１、３２、３３）には、それぞれ用紙ガイド３５が設けられている。用紙ガイド３５は、はがきサイズ以下の用紙Ｐ（例えば官製はがき、私製はがき、または、はがきサイズ以下の写真用紙、名刺用紙など）を収容できるように位置を調整することができる。用紙ガイド３５の位置を調整することにより、各用紙保持部３０（３１、３２、３３）は、相互に異なる種類の用紙Ｐ、あるいは同じ種類の用紙Ｐを保持することが可能である。
【００４２】
支持部５０は、用紙保持部３０（３１、３２、３３）を支持している。支持部５０は、支持部材５１、および駆動装置５３を備えている。
【００４３】
支持部材５１は、円形の板状部材である（図４および図５参照）。支持部材５１の上面に用紙保持部３０（３１、３２、３３）が配置されている。
【００４４】
駆動装置５３は、支持部材５１を支持するとともに、支持部材５１を回転させることにより３台の用紙保持部３０（３１、３２、３３）の位置を変更させる。支持部材５１は、駆動装置５３の回転軸５５に取付けられており、回転軸５５を中心として支持部材５１を矢印Ｒ１方向または矢印Ｒ２方向に駆動回転可能である。駆動装置５３は、給紙トレイ本体１１の底部に設けられている。
【００４５】
支持部５０（支持部材５１）が回転することにより、各用紙保持部３０は、画像形成装置本体２０１に対して用紙Ｐを供給可能な供給位置ＰＢ１と、画像形成装置本体２０１に対して用紙Ｐを供給しない待機位置ＰＢ２と、に切り換えられる。
【００４６】
３台の用紙保持部３０（３１、３２、３３）がそれぞれ供給位置ＰＢ１において、用紙Ｐを供給可能となるように、本実施形態では、３台の用紙保持部３０（３１、３２、３３）は、支持部材５１の回転軸５５を中心として１２０度間隔に配置されている。より具体的には、装着状態ＰＡ１において給紙トレイ１０Ａに収容された用紙Ｐが給紙される方向を給紙方向Ｄ３とし、給紙方向Ｄ３に平行かつ支持部５０の回転軸５５の中心を通る仮想の直線を支持部中心線Ｌ１とし、供給位置ＰＢ１において給紙方向Ｄ３に平行な用紙Ｐの中心線を用紙中心線Ｌ２として、複数の用紙保持部３０は、供給位置ＰＢ１において、それぞれ用紙中心線Ｌ２と支持部中心線Ｌ１とが重なるように配置されている。
【００４７】
３台の用紙保持部３０（３１、３２、３３）が上記のように支持部材５１に配置されていることにより、給紙トレイ１０Ａが給紙トレイ装着部２０６に装着された状態（装着状態ＰＡ１）において、供給位置ＰＢ１に位置している用紙保持部３０（３１、３２、３３）に保持された用紙Ｐは、画像形成装置本体２０１側に設けられた給紙ローラＲＰによって画像形成装置本体２０１に供給される。給紙ローラＲＰによって供給された用紙Ｐは、用紙搬送部（図示せず）によって搬送され、画像形成部２０４において用紙Ｐの表面に画像が形成される。
【００４８】
本実施形態では、給紙ローラＲＰは、用紙Ｐの給紙方向Ｄ３と直交する方向に間隔をおいて一対配置されている。用紙保持部３０は、供給位置ＰＢ１において、一対の給紙ローラＲＰの両方が用紙Ｐに均等に接触するように配置されている。このため、用紙Ｐの斜め送りを抑制することができる。
【００４９】
駆動装置５３の駆動は、制御部２２１によって制御されており（図２参照）、用紙保持部３０（３１、３２、３３）に対応付けられた用紙Ｐの選択は、操作パネル２０７の操作によって行うことができる。
【００５０】
例えば、３台の用紙保持部３０（３１、３２、３３）にそれぞれ種類の異なる用紙Ｐ（例えば、官製はがきＰ１、私製はがきＰ２、年賀はがきＰ３）が保持される場合は、用紙保持部３０（３１、３２、３３）と用紙Ｐ（Ｐ１、Ｐ２、Ｐ３）との対応関係が、予め操作パネル２０７の操作によって設定される。その上で、ユーザーが操作パネル２０７の操作によって用紙Ｐの種類を選択することにより、制御部２２１は、選択された特定の種類の用紙Ｐを保持している用紙保持部３０を供給位置ＰＢ１に切り替え、特定の種類の用紙Ｐを保持していない用紙保持部３０を待機位置ＰＢ２に切り替えるように、駆動装置５３の駆動を制御する。
【００５１】
また、３台の用紙保持部３０（３１、３２、３３）にそれぞれ同じ種類の用紙Ｐ（例えば、年賀はがきＰ３のみ）が保持される場合にも、用紙保持部３０（３１、３２、３３）と用紙Ｐ（年賀はがきＰ３）との対応関係が、予め操作パネル２０７の操作によって設定される。
【００５２】
この場合、例えば用紙保持部３１の用紙Ｐ（年賀はがきＰ３）が全て使用された際には、制御部２２１は、用紙保持部３１が用紙Ｐ（年賀はがきＰ３）を保持していない状態になったことを判定するとともに、用紙Ｐ（年賀はがきＰ３）を保持している他の用紙保持部３２、３３を供給位置ＰＢ１に切り替えるように、駆動装置５３の駆動を制御する。
【００５３】
〔実施形態２〕
次に本発明の実施形態２に係る給紙装置１００Ｂについて説明する。給紙装置１００Ｂでは、給紙トレイ１０Ｂに４台の用紙保持部３０（３１、３２、３３、３４）が設けられている。以下の説明において、実施形態１と同様の構成には同一の符号を付して説明を省略し、実施形態１と異なる構成についてのみ説明する。
【００５４】
図５は、装着状態ＰＡ１における給紙トレイ１０Ｂの平面図である。図５に示すように、給紙トレイ１０Ｂの支持部材５１には、４台の用紙保持部３０(３１、３２、３３、３４)が設けられている。
【００５５】
支持部５０（支持部材５１）が回転することにより、各用紙保持部３０（３１、３２、３３、３４）は、画像形成装置本体２０１に対して用紙Ｐを供給可能な供給位置ＰＢ１と、画像形成装置本体２０１に対して用紙Ｐを供給しない待機位置ＰＢ２と、に切り換えられる。
【００５６】
４台の用紙保持部３０（３１、３２、３３、３４）がそれぞれ供給位置ＰＢ１において、用紙Ｐを供給可能となるように、本実施形態では、４台の用紙保持部３０（３１、３２、３３）は、支持部材５１の回転軸５５を中心として９０度間隔に配置されている。より具体的には、装着状態ＰＡ１において給紙トレイ１０Ｂに収容された用紙Ｐが給紙される方向を給紙方向Ｄ３とし、給紙方向Ｄ３に平行かつ支持部５０の回転軸５５の中心を通る仮想の直線を支持部中心線Ｌ１とし、供給位置ＰＢ１において給紙方向Ｄ３に平行な用紙Ｐの中心線を用紙中心線Ｌ３として、各用紙保持部３０（３１、３２、３３、３４）は、供給位置ＰＢ１において、用紙中心線Ｌ３が支持部中心線Ｌ１に対して変位した位置に配置されている。
【００５７】
４台の用紙保持部３０（３１、３２、３３、３４）が上記のように支持部材５１に配置されていることにより、給紙トレイ１０Ｂが給紙トレイ装着部２０６に装着された状態（装着状態ＰＡ１）において、供給位置ＰＢ１に位置している用紙保持部３０（３１、３２、３３、３４）に保持された用紙Ｐは、画像形成装置本体２０１側に設けられた給紙ローラＲＰによって画像形成装置本体２０１に供給される。給紙ローラＲＰによって供給された用紙Ｐは、用紙搬送部（図示せず）によって搬送され、画像形成部２０４において用紙Ｐの表面に画像が形成される。
【００５８】
本実施形態では、給紙ローラＲＰは、用紙Ｐの給紙方向Ｄ３と直交する方向に間隔をおいて一対配置されている。用紙保持部３０は、供給位置ＰＢ１において、一対の給紙ローラＲＰの一方が用紙Ｐに均等に接触するように配置されている。このため、用紙Ｐの斜め送りを抑制することができる。
【００５９】
駆動装置５３の駆動は、制御部２２１によって制御されており（図２参照）、用紙保持部３０（３１、３２、３３、３４）に対応付けられた用紙Ｐの選択は、操作パネル２０７の操作によって行うことができる。
【００６０】
例えば、４台の用紙保持部３０（３１、３２、３３、３４）に２種類の用紙Ｐ（例えば、官製はがきＰ１、年賀はがきＰ３）が保持される場合は、用紙保持部３０（３１、３２、３３、３４）と用紙Ｐ（Ｐ１、Ｐ３）との対応関係が、予め操作パネル２０７の操作によって設定される。その上で、ユーザーが操作パネル２０７の操作によって用紙Ｐの種類を選択することにより、制御部２２１は、選択された特定の種類の用紙Ｐを保持している用紙保持部３０を供給位置ＰＢ１に切り替え、特定の種類の用紙Ｐを保持していない用紙保持部３０を待機位置ＰＢ２に切り替えるように、駆動装置５３の駆動を制御する。
【００６１】
また、例えば用紙保持部３０（３３）の用紙Ｐ（年賀はがきＰ３）が全て使用された際には、制御部２２１は、用紙保持部３１が用紙Ｐ（年賀はがきＰ３）を保持していない状態になったことを判定するとともに、用紙Ｐ（年賀はがきＰ３）を保持している他の用紙保持部３０（３４）を供給位置ＰＢ１に切り替えるように、駆動装置５３の駆動を制御する。
【００６２】
〔実施形態３〕
次に本発明の実施形態３に係る給紙装置１００Ｃについて説明する。実施形態３に係る給紙装置１００Ｃの装着状態ＰＡ１における給紙トレイ１０Ｃの断面図である。以下の説明において、実施形態１と同様の構成には同一の符号を付して説明を省略し、実施形態１と異なる構成についてのみ説明する。
【００６３】
図７に示すように、用紙保持部３０（３１、３２、３３）を支持する支持部５０Ｃの駆動装置５３Ｃは、画像形成装置本体２０１側に設けられている。そして、駆動装置５３Ｃと回転軸５５Ｃは、給紙トレイ１０Ｃが装着状態ＰＡ１にされることで駆動力が伝達されるように接続され、給紙トレイ１０Ｃが引出状態ＰＡ２にされることで、駆動装置５３Ｃと回転軸５５Ｃは分離される。
【００６４】
なお、本実施形態では、駆動装置５３Ｃと回転軸５５Ｃが接続されるとしたが、給紙トレイ１０Ｃが装着状態ＰＡ１にされた状態において、画像形成装置本体２０１に設けられた他の駆動装置に接続された伝達部材が回転軸５５Ｃに接続されるようにしてもよい。
【００６５】
〔他の実施形態〕
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００６６】
例えば、支持部の支持部材は、円形の部材でなくてもよく、複数の用紙保持部３０が設けられる部材であればよい。
【００６７】
また、用紙保持部３０に保持される用紙Ｐのサイズははがきサイズ以下に限定されず、はがきサイズよりも大きい用紙を保持できるようにしてもよい。
【産業上の利用可能性】
【００６８】
本発明は、給紙トレイを備えた給紙装置、および給紙装置を備えた画像形成装置に適用することが可能である。
【符号の説明】
【００６９】
１００  給紙装置
２００  画像形成装置
１０Ａ  給紙トレイ
３０    用紙保持部
５０    支持部
【図１】
2020015568.tif 000003
【図２】
2020015568.tif 000004
【図３】
2020015568.tif 000005
【図４】
2020015568.tif 000006
【図５】
2020015568.tif 000007
【図６】
2020015568.tif 000008
【図７】
2020015568.tif 000009